(57)【要約】【課題】  ユーザ好みの色合いを持つ画像がいつでもどこでも簡単に得られるプリンタを提供すること。【解決手段】プリントデータ補正ＳＷの操作による濃度調整値に対応付けて色変換情報を記憶部に記憶しておき、その記憶部に記憶された色変換情報に基づいて画像処理部で色変換処理を行なう。このときにはプリンタデータ補正ＳＷの操作状態（標準、Ｌｉｇｅｔｅｎ、Ｄａｒｋｅｎ）に応じて行列式係数と補正項とが画像処理部にセットされ、色変換が行なわれ、プリント補正データＳＷを操作することでユーザ好みの色合いを持つ画像が出力される。  【選択図】  図７
2005142844.tif 000002
【特許請求の範囲】
【請求項１】
画像データを取得し取得した画像データに基づく画像をプリント出力するプリンタにおいて、
画像データを取得する取得部と、
プリント出力する画像の濃度を調整する操作子と、
色変換情報を、前記操作子による濃度調整値に対応付けて記憶しておく記憶部と、
取得した画像データに、前記操作子による濃度調整値に応じた色変換を施す色変換部と、
前記色変換部による色変換後の画像データに基づく画像をプリント出力する出力部とを備えたことを特徴とするプリンタ。
【請求項２】
前記取得部が、外部から画像データとともに色変換情報を取得するものであり、
前記色変換部は、前記取得部で取得した画像データに、前記操作子による濃度調整値に応じた色変換情報と該取得部で取得した色変換情報との双方の色変換情報に基づく色変換処理を施すものであることを特徴とする請求項１記載のプリンタ。
【請求項３】
前記取得部が、外部から画像データとともに色変換情報を取得するものであり、
前記色変換部は、前記取得部で取得した画像データに、前記操作子による濃度調整値に応じた色変換情報に代えて、該取得部で取得した色変換情報を採用して該色変換情報に基づく色変換処理を施すものであることを特徴とする請求項１記載のプリンタ。
【請求項４】
前記取得部は、赤外線通信により画像データを取得するものであることを特徴とする請求項１記載のプリンタ。
【請求項５】
前記取得部は、赤外線通信により、カメラ付き携帯電話から送信されてきた画像データを取得するものであることを特徴とする請求項１記載のプリンタ。
【請求項６】
前記出力部は、露光により潜像が形成され送り出しの際に現像剤が展開されて顕像化されるインスタントフィルムシート上に、所定の副走査方向に移動しながら該副走査方向と交わる主走査方向に並んだ光点を画像データに応じて照射することにより潜像を記録し、潜像が記録されたインスタントフィルムシートを送り出しながら該インスタントフィルムシートに現像剤を展開することにより該インスタントフィルムシート上に画像をプリント出力するものであることを特徴とする請求項１記載のプリンタ。
【発明の詳細な説明】
【技術分野】
【０００１】
本発明は、画像データを取得し取得した画像データに基づく画像をプリント出力するプリンタに関する。
【背景技術】
【０００２】
プリンタには、色校正機能を備えたものがある（例えば特許文献１参照）。この特許文献１のものでは、プリンタから階調チャートを出力させ、その階調チャートの濃度値を濃度測定手段により測定することにより目標濃度値を実現する色補正パラメータを決定してプリンタ内部にその色補正パラメータを登録することが行なわれている。このようにするとユーザが望む任意の出力階調特性が得られ、ユーザ好みの色合いを持つ画像がプリント出力される。
【０００３】
近年、携帯電話やＰＨＳ（Ｐｅｒｓｏｎａｌ  Ｈａｎｄｙｈｏｎｅ  Ｓｙｓｔｅｍ）等の携帯型の電話機等（以下、通信形態を問わず「携帯電話機」で代表させることがある）には撮影機能が搭載され、さらにそのカメラ機能で撮影された画像データを赤外線通信等で送信する機能が搭載されてきている。これにあわせて、そのような機能が搭載された携帯電話から赤外線通信等で送信されてきた画像データを受信してその画像データに基づいて画像をプリント出力するプリンタも考えられてきている。また、このようなプリンタとして携帯電話機と一緒に携帯して持ち運べるいわゆるモバイル型のプリンタが有望視されている。
【０００４】
このようなモバイル型のプリンタにおいては、工場から出荷され販売された後、ユーザがこのプリンタを携帯することができることが前提となっているため、特許文献１のように複数のユーザが望む目標濃度値をそれぞれのプリンタ内部に一々設定するという訳にはいかない。
【特許文献１】特開平９−１１６７６８号公報
【発明の開示】
【発明が解決しようとする課題】
【０００５】
本発明は上記問題点を解決し、ユーザ好みの色合いを持つ画像がいつでもどこでも簡単に得られるプリンタを提供することを目的とする。
【課題を解決するための手段】
【０００６】
上記目的を達成する本発明のプリンタは、画像データを取得し取得した画像データに基づく画像をプリント出力するプリンタにおいて、
画像データを取得する取得部と、
プリント出力する画像の濃度を調整する操作子と、
色変換情報を、上記操作子による濃度調整値に対応付けて記録しておく記憶部と、
取得した画像データに、上記操作子による濃度調整値に応じた色変換を施す色変換部と、
上記色変換部による色変換後の画像データに基づく画像をプリント出力する出力部を備えたことを特徴とする。
【０００７】
上記本発明のプリンタによれば、上記操作子による濃度調整値に対応付けて色変換情報を記憶しておく記憶部を設け、上記操作子が操作されたらその記憶部に記憶された色変換情報に基づいて上記色変換部で色変換が施される。そうすると上記操作子を操作することで、ユーザ好みの色合いを持つ画像がプリント出力される。
【０００８】
ここで、上記取得部が、外部から画像データとともに色変換情報を取得するものであり、
上記色変換部は、上記取得部で取得した画像データに、上記操作子による濃度調整値に応じた色変換情報とその取得部で取得した色変換情報との双方の色変換情報に基づく色変換処理を施すものであることが好ましい。
【０００９】
そうすると、プリンタの操作子による濃度調整値に応じるとともに携帯電話機などから送信されてきた色変換情報に応じてもこのプリンタに適正な色変換が上記色変換部で行なわれる。例えば、送信されてきた色変換情報に基づくプリントを行うだけでは全体的に淡い色合いになってしまうような場合には、予め上記操作子により濃度調整をしておくことで双方の色変換情報に応じた、ユーザの好みの画像を得ることができる。
【００１０】
ここで、上記取得部が、外部から画像データとともに色変換情報を取得するものであり、
上記色変換部は、上記取得部で取得した画像データに、上記操作子による濃度調整値に応じた色変換情報に代えて、その取得部で取得した色変換情報を採用してその色変換情報に基づく色変換処理を施すものであることが好ましい。
【００１１】
このように、外部から送信されてきた画像データと色変換情報を上記取得部で取得して、上記操作子による濃度調整値に拠らず、その取得した色変換情報のみに基づいて画像データの色変換が行なわれると、携帯電話機側に色変換情報をいろいろと配備しておくことによって操作子により濃度の調整を行なわなくても、携帯電話機側で操作を行って上記色変換部に好適な色変換を行わせることができる。また、携帯電話機を製造する製造者ごとに若干色合いが異なることもあるが、それらの異なる色合いを表わす色変換情報を携帯電話機ごとにプリンタに送信させるようにすると、このプリンタ内部の色変換部で異なる色合いに応じた色変換を携帯電話機ごとに行なわせることもできる。
【００１２】
また、上記取得部は、赤外線通信により画像データを取得するものであることが好ましく、赤外線通信により、カメラ付き携帯電話から送信されてきた画像データを取得するものであることが好ましい。
【００１３】
そうすると、例えばＩｒＤＡ（Ｉｎｆｒａｒｅｄ  Ｄａｔａ  Ａｓｓｏｃｉａｔｉｏｎ）通信規格に準拠した赤外線通信装置を搭載したカメラ付き携帯電話機で撮影した画像が、その場でプリントされる。
【００１４】
ここで、上記出力部は、露光により潜像が形成され送り出しの際に現像剤が展開されて顕像化されるインスタントフィルムシート上に、所定の副走査方向に移動しながらその副走査方向と交わる主走査方向に並んだ光点を画像データに応じて照射することにより潜像を記録し、潜像が記録されたインスタントフィルムシートを送り出しながらそのインスタントフィルムシートに現像剤を展開することによりそのインスタントフィルムシート上に画像をプリント出力するものであることが好ましい。
【００１５】
そうすると、携帯電話機で撮影を行なった場所で、その撮影した画像を表わす画像データに基づく画像がユーザ好みの色合いを持つ写真となってプリント出力される。
【発明の効果】
【００１６】
上記本発明のプリンタによれば、ユーザ好みの色合いを持つ画像がいつでもどこでも簡単に得られるプリンタが実現される。
【発明を実施するための最良の形態】
【００１７】
図１は本発明の実施形態であるプリンタ１を、斜め前方から見た斜視図である。
【００１８】
このプリンタは携帯電話などと組み合わされて使用されるものであって、携帯電話から送信されてくる画像データをこのプリンタで受信してインスタントフィルムシート上に画像の記録を行なうものである。ここでは記録媒体としてインスタントフィルムシートを使用しているが、普通紙であっても良い。
【００１９】
前述したように、カメラ付き携帯電話の中にはＩｒＤＡに準拠した赤外線通信を行なえるものがあり、この赤外線通信を使用して自分の持つ情報を他の情報機器へ送信することができるカメラ付き携帯電話であれば、画像データをこのプリンタに送信することができる。
【００２０】
本発明のプリンタは、このようなカメラ付き携帯電話で撮影された画像を表わす画像データまたはメールなどで携帯電話に送信されてきた画像データが赤外線通信を用いてこのプリンタに送信されてきたときに、その画像データに基づいてインスタントフィルムシート上に画像の記録を行なうものである。
【００２１】
本実施形態のプリンタの構成を、図１を参照して説明する。
【００２２】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２３】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタントフィルムシートの残り枚数やプリントデータ補正ＳＷ１３の内容が表示される。また、前述した赤外線通信により送信されてきた画像データを受光する受光素子１５が携帯電話をこのプリンタに対向させ易い位置、ここでは筐体１ａの端部に配備されている。なお、この図１には図示してはいないが、このプリンタ１はＵＳＢ通信用の通信ポートも持っている。
【００２４】
プリントＳＷ１２は、記録媒体への画像の記録が終了した後、その記録が終了した画像と同じ画像を再記録する場合に操作されるものであり、プリントデータ補正ＳＷ１３は、記録媒体に記録される画像の濃度調整値（ここではＮｏｒａｍｌ  ｏｒ  Ｄａｒｋｅｎ  ｏｒ  Ｌｉｇｈｔｅｎという３段階）を調節するためのものである。このプリントデータ補正ＳＷ１３はトグル動作するもので初期状態であるＮｏｒｍａｌにあるときにこのプリントデータ補正ＳＷ１３がもう一度操作されると、Ｄａｒｋｅｎに切り替えられ、そのＤａｒｋｅｎ状態にあるときにプリントデータ補正ＳＷがもう一度操作されるとＬｉｇｈｅｔｎに切り替えられ、さらにＬｉｇｈｔｅｎ状態にあるときにもう一度操作されるとＮｏｒｍａｌに切り替えられるといった様に操作されるたびに順次濃度調整値が切り替わるものである。このプリントデータ補正ＳＷ１３がＤａｒｋｅｎ側に切り替えられていたら、そのＤａｒｋｅｎに対応する濃度調整値に応じた色変換がプリンタ内部で行なわれて、その色変換が行なわれた画像データに基づく画像がインスタントフィルムシート上に記録される。また、Ｌｉｇｈｔｅｎ側に切り替えられたらそのＬｉｇｈｔｅｎに対応する濃度調整値に応じた色変換がプリンタ内部で行なわれて、その色変換が行なわれた画像データに基づく画像がインスタントフィルムシート上に記録される。
【００２５】
もし、ユーザがそのプリント出力されたインスタントフィルムシート上の画像を見て画像の濃淡が今ひとつと感じたら、プリントデータ補正ＳＷ１３を操作して再度プリントＳＷ１２を操作すると、自分の好みの濃淡すなわち色合いを持つ写真が得られる。このプリントデータ補正ＳＷが、本発明にいう画像の濃度を調整する操作子にあたる。
【００２６】
図２はプリンタ内部の光学ヘッドによってそのインスタントフィルムシート上に潜像の記録が行なわれた後、そのインスタントフィルムシート１００１上の潜像が顕像化されながら、このプリンタの排出口からインスタントフィルムシート１００１が排出されているときの状態を示す図である。
【００２７】
このプリンタでは、赤外線通信、またはＵＳＢ通信により外部から送信されてきた画像データをこのプリンタにより取得したら、その取得した画像データに基づく潜像の記録が露光によりインスタントフィルムシート上に行なわれ、その潜像が記録されたインスタントフィルムシート１００１が顕像化されながら、図２に示すようにプリンタ１外部へ排出される。その後プリントＳＷ１２が操作されたときにも、その画像と同じ画像の再記録がインスタントフィルムシート１００１上に行なわれ、図２に示すようにインスタントフィルムシート１００１が排出される。さらに本発明にいう濃度を調整する操作子であるプリント補正ＳＷがユーザによって操作された後さらにプリントＳＷが押されると、画像の濃淡が調整された画像がインスタントフィルムシート１００１上に記録され、図２に示すようにインスタントフィルムシート１００１が排出される。
【００２８】
図３は、このプリンタの内部の構成を示す構成ブロック図である。
【００２９】
図３に示すように、このプリンタの動作は統括的にＣＰＵ１８０により制御される。
【００３０】
ＣＰＵ１８０には図１に示した電源スイッチ１１やプリントＳＷ１２やプリントデータ補正スイッチ１３などからなるスイッチ類１０からの操作信号が供給されている。このスイッチ類１０のうち、電源ＳＷ１１が投入されて電源オンを表わす操作信号がＣＰＵ１８０に供給されると、画像処理部１８２の外部ＩＦ１８２１に電源部１８１から電力が供給され、その画像処理部にある外部ＩＦが受信待機状態になる。このときに赤外線通信またはＵＳＢ通信により画像データが外部から送られてきて外部ＩＦ１８２１を通して画像データが取得されたら、無条件に画像のプリントが行なわれる。
【００３１】
ここで、電源ＳＷ１１が投入された後、外部から画像データが送信されてきたときに、ＣＰＵ１８０がどのような処理を各部に行なわせるかを説明する。
【００３２】
赤外線通信により画像データが外部からこのプリンタ１に送られてきたときには、外部Ｉ／Ｆ１８２１がその赤外線を受光素子１５によって受光したときにＣＰＵ１８０に対し通信要求有りの信号を出力する。ＣＰＵ１８０はこの信号を受けて画像処理部１８２にＲＡＭ１８４とＦＬＡＳＨＭＥＭＯＲＹ１８５双方の画像データの消去を行なわせる。さらに、画像処理部１８２を受信待機状態にして新たな画像データの受信を行なわせ、その受信した画像データを、バスを介してＲＡＭ１８４に記憶させる。このＣＰＵ１８０と画像処理部１８２とＲＡＭ１８４とが本発明にいう取得部にあたる。
【００３３】
ＣＰＵ１８０は，この取得部に外部からの画像データを取得させたら、そのＲＡＭ１８４に格納されている画像データを画像処理部１８２に読み出させ、その画像処理部１８２にプリントデータを生成させる。なお、このプリントデータとは画像処理部１８２で濃度調整値に応じた色変換が施された後の画像データを指しており、上記取得部により取得された画像データとは異なる。以降の説明においては、双方のデータを区別するため、プリントデータに対し、上記画像取得部により取得され、ＲＡＭに格納された画像データをプリント前データと呼ぶ。このプリント前データに濃度調整値に応じた色変換処理を施してプリントデータを生成する画像処理部１８２が本発明にいう色変換部にあたる。
【００３４】
ＣＰＵ１８０は、このプリントデータを画像処理部１８２に生成させるにあたり、画像処理部１８２に行列式係数と補正係数とをセットして、画像処理部１８２に色変換を行なわせている。ＣＰＵ１８０はその画像処理部１８２で色変換処理が施されたプリントデータを印刷制御部１８３に転送させ、光学ヘッド１７の各シャッタのシャッタスピードの制御を印刷制御部１８３に行なわせている。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節され、さらに副走査方向に光学ヘッド１６が走査され、副走査方向の各光点の光量がそれぞれ調節されて画像データに基づくカラー潜像がインスタントフィルムシート上に記録される。
【００３５】
このＣＰＵ１８０には、光学ヘッド１７の温度を検出する温度センサ１８０Ａと、光学ヘッド１７の記録開始位置を検出する原点センサ１８０Ｂと、光学ヘッド１６の終端位置を検出する終端センサ１８０Ｃからの検出信号が供給されており、ＣＰＵ１８０は温度センサ１８０Ａからの検出信号に応じて光学ヘッド１６内の各シャッタのシャッタスピードを印刷制御部１８３に制御させるとともに、光学ヘッド１６を副走査方向に移動させるときの移動開始位置と、終端位置とをそれぞれ原点センサと終端センサにより検出して、印刷制御部１８３にステッピングモータ１６２ａを制御させている。
【００３６】
このようにしてインスタントフィルムシート上にカラー潜像を記録させた後、ＣＰＵ１８０は展開モータドライバ１７ａにより展開モータ１７を駆動させ、そのカラー潜像を顕像化させてカラー潜像がインスタントフィルムシート上に形成されたインスタントフィルムシートをプリンタ外部へと排出させる。
【００３７】
以上が、電源ＳＷ１１により電源が投入された後、赤外線通信またはＵＳＢ通信により画像データが送られてきたときにＣＰＵ１８０が各部に行なわせる処理である。
【００３８】
次に、プリントＳＷ１２が操作されたときにＣＰＵ１８０が各部に行なわせる処理を説明する。
【００３９】
プリントＳＷ１２が操作されたことを受けて、ＣＰＵ１８０は画像処理部１８２にＲＡＭ１８４に格納されている画像データの読み出しを行なわせる。この読み出した画像データに基づいて画像処理部１８２にプリントデータを生成させ、印刷処理部１８３へ転送させる。印刷処理部１８３ではそのプリントデータに基づき、終端センサ１８０Ｃの検出信号が変化するまでインスタントフィルムシート上にそのプリントデータに応じた潜像を記録していき、ＣＰＵ１８０が終端センサ１８０Ｃの変化を検出したら印刷処理部の動作を停止させ、今度は展開モータドライバに指示を出して展開ローラを駆動してインスタントフィルムシートをプリンタ外部へと排出させる。この展開ローラにインスタントフィルムシートを挟持させることにより、インスタントフィルムシート内に充填されていた現像剤をインスタントフィルムシート全体に展開させ、潜像を顕像化させる。
【００４０】
このようにしてプリントＳＷ１２が操作されたときにも、ＲＡＭ１８４内に格納されている画像データに基づく画像がインスタントフィルムシート上に形成され、プリンタ外部へと排出される。
【００４１】
図４は、ＣＰＵ１８０が行なう処理の手順を示すフローチャートである。
【００４２】
図４にはメインプロセスが示されている。
【００４３】
まず、図４を参照してＣＰＵ１８０で行なわれるメインルーチンの処理を説明する。
【００４４】
電池装填室（図示せず）に図３に示す電池１ｂが投入されたら、まずステップ４０１で各部の初期設定を行なう。この初期設定によってＣＰＵ１８０が動作するクロックの発振周波数の設定を行なう。このＣＰＵ１８０は、低消費電力でこのプリンタを動作させることができるように、電源ｏｆｆ時には遅いクロックで動作する。次のステップＳ４０２でＦＬＡＳＨＭＥＭＯＲＹ１８５内の画像データの削除を行なう。ここでは例えば出荷前の検査用の画像データがＦＬＡＳＨＭＥＭＯＲＹ１８５内に残っていると困るので画像処理部に画像データの消去を行なわせている。
【００４５】
ステップＳ４０３で、電源ＳＷ１１が投入されるのを待ち受け、電源ＳＷ１３が投入されたら、ステップＳ４０４で電源ＯＮ処理を行なう。この電源ＯＮ処理ではＬＣＤパネル１４上にメニューを表示したり、クロックのスピードを速めてＣＰＵ１８０の処理速度を上げることを行なう。
【００４６】
次のステップＳ４０５で、ＣＰＵ１８０側に入力される信号の状態が遷移するのを待ち受ける待ち受け処理に移行する。ここでこの待ち受け処理の詳細を、図５を参照して説明しておく。
【００４７】
図５はＣＰＵ１８０が行なう待ち受け処理の詳細を示す図である。
【００４８】
図４に示すステップＳ４０５で待ち受け処理が実行されると、図５に示す各ステップの処理が行なわれる。
【００４９】
図５に示すように待ち受け処理に入ると、外部から送信されてくる画像データをこのプリンタで待ち受けるためステップＳ４０５１１でオフ状態にあった赤外線通信装置とＵＳＢ通信装置をオンさせる。
【００５０】
ステップＳ４０５１２からステップＳ４０５１７を繰り返し実行して、スイッチ類の中のいずれかのスイッチが操作されるか、あるいは赤外線通信またはＵＳＢ通信により画像データがプリンタに送信されてくるか、あるいはＣＰＵ１８０内のタイマがタイムオーバになるかを待ち受ける。
【００５１】
まず、この待ち受け状態にあるときにステップＳ４０５１２でプリントＳＷ１１が操作されたとＣＰＵ１８０が判定したらステップＳ４０９へ移行してＣＰＵ１８０内のタイマのタイマ値がタイムアウトしているかどうかを判定する。このステップＳ４０９でタイムアウトと判定したらステップＳ４０５１２の待ち受け状態に戻り、このステップＳ４０９でタイムアウトしていないと判定したらステップＳ４０１５９で図４のステップＳ４１０のプリントデータＲＡＭ展開処理プロセスにジャンプする。また、ステップＳ４０５１３でプリントデータ補正ＳＷ１３が操作されたと判定したらステップＳ４０５２０で図４のステップＳ４０６のプリントデータ補正ＳＷ処理プロセスにジャンプする。また、ステップＳ４０５１４で赤外線通信要求が外部から出されたと判定したら、ステップＳ４０５２１で図４のステップＳ４０７の赤外線通信プロセスにジャンプし、ステップＳ４０５１５でＵＳＢ通信要求が外部から通知されたと判定したら、ステップＳ４０５２３で図４のステップＳ４０８のＵＳＢ通信処理プロセスにジャンプする。
【００５２】
さらにステップＳ４０５１６で電源ＳＷがオフ操作されたら、ステップＳ４０５２３で図４のステップＳ４１１の電源ｏｆｆ処理プロセスへジャンプし、ステップＳ４０５１７でタイムアウトと判定したら、ステップＳ４０５２４で図４のステップＳ４１２のオートｏｆｆ処理プロセスにジャンプする。
【００５３】
図４のステップＳ４０５の待ち受け処理が図５のフローに従って行われていずれかのステップのジャンプ処理が実行された後の処理を、図４を参照して説明する。
【００５４】
まず、図５のステップＳ４０５２０でジャンプ処理を行なった場合には、ステップＳ４０６へ移行してステップＳ４０６で画像処理部内のプリントデータ補正ＳＷ処理プロセスを起動する。このプリントデータ補正ＳＷ処理プロセスでは、プリントデータ補正ＳＷ１３の操作内容に応じた色変換情報を示す行列式係数と補正項とを画像処理部１８２にセットする。この行列式係数と補正項については後述する。このセットを終了したら、またステップＳ４０５の待ち受け処理に戻る。
【００５５】
また、図５のステップＳ４０５２１でジャンプ処理を行った場合には、ステップＳ４０７で画像処理部１８２内の赤外線通信プロセスを起動し、画像処理部１８２内の外部ＩＦ１８２１とＲＡＭ１８４とからなる取得部によって画像データを取得する。この取得部により画像データを取得したら、ステップＳ４１３からステップＳ４１５で各処理を画像処理部１８２と印刷処理部１８３に行なわせてインスタントフィルムシートを外部に排出させる。同様に図５のステップＳ４０５２２でジャンプ処理を行ったらステップＳ４０８のＵＳＢ処理プロセスを起動してステップＳ４１３からステップＳ４１５までの処理を行って次の処理に備えてステップＳ４０５の待ち受け状態に戻る。
【００５６】
また図５のステップＳ４０５１９でジャンプ処理を行なう前に、ステップＳ４０９でＣＰＵ内のタイマがタイムオーバであるかどうかを判定してタイムオーバだったら、ステップＳ４０５の待ち受け状態に戻り、タイムオーバでなかったら、ステップＳ４１０へ移行しプリントデータＲＡＭ展開処理プロセスを起動して、ＦＬＡＳＨＡＭＥＭＯＲＹ１８５からＲＡＭ１８４に画像データを復帰させ、画像データに基づく画像のプリント処理をステップＳ４１３からステップＳ４１５で印刷処理部１８３に行なわせる。
【００５７】
さらに、図５のステップＳ４０５２３のジャンプ処理を行ったら、ステップＳ４１１でＣＰＵ１８０内の電源ｏｆｆ処理プロセスを起動し、ＲＡＭ１８４に格納されている画像データをＦＬＡＳＨＭＥＭＯＲＹ１８５に退避させた後、各部の電源ｏｆｆ処理を行なって、ステップＳ４０３へ戻る。同様に図５のステップＳ４０５２４のジャンプ処理が行なわれたら、ステップＳ４１２でオートｏｆｆ処理プロセスを起動して、電源ｏｆｆ処理と同様の処理を行なってステップＳ４０３へ戻る。
【００５８】
この実施形態では、この電源ＳＷ１１がｏｆｆ側に切り替えられるか、またはオートパワーオフ機能が働いたことをＣＰＵ１８０により検知して、電源部１８１の出力を断つ制御を行っている。このようにしておくと電源ｏｆｆ時にＣＰＵを遅いクロックで動作させることとあわせてこのプリンタを低消費電力で動作させることができる。
【００５９】
ここで本発明の課題を達成する色変換処理を実行するステップＳ４１３のプリンタ前処理プロセスを説明する。
【００６０】
図６はステップＳ４１３のプリント前処理プロセスの詳細を示すフローチャートである。
【００６１】
外部からヘッダ情報を含む画像データが送信され、このプリンタで画像データを取得したら、ステップＳ４１３１でその取得した画像データが非圧縮データであるかどうかを判定する。ここでは画像データのヘッダ情報から非圧縮データであるかどうかを判定して、非圧縮データであった場合にはＹｅｓ側に進み、次のステップＳ４１３２へ移行する。ステップＳ４１３１で画像データが圧縮データであると判定したらＮｏ側に進みステップＳ４１３３で圧縮データの伸張処理を画像処理部１８２に行なわせる。ステップＳ４１３１またはステップＳ４１３３の処理を行なった後、ステップＳ４１３２へ移行して、このプリンタ１での画像の記録に適した解像度であるかどうかを判定する。このプリンタ１に適した解像度である場合（例えば４８０×６４０のＶＧＡサイズである場合）には、Ｙｅｓ側に進み、次のステップＳ４１３５へと移行する。このプリンタ１に適した解像度でない場合（例えば縦横比が異なる場合）にはＮｏ側に進み、ステップＳ４１３４で解像度の変換を画像処理部１８２に行なわせる。ステップＳ４１３２またはステップＳ４１３４のいずれかの処理を行った後ステップＳ４１３５へ移行してステップＳ４１３５でプリントデータ補正ＳＷが操作されているかどうかを判定する。プリントデータ補正ＳＷが特に操作されておらずＮｏｒａｍｌ側に切り替えられている場合には、Ｎｏｒｍａｌ（以下標準と記載する）側に進み、ステップＳ４１３６へと移行する。このステップＳ４１３５でプリントデータ補正ＳＷが操作されてＬｉｇｈｔｅｎ（以下Ｌと記載する）側に切り替えられていると判定した場合には、Ｌ側に進みステップＳ４１３７へと移行し、Ｄａｒｋｅｎ（以下Ｄと記載する）側に切り替えられている場合にはＤ側に進みステップＳ４１３８へと移行する。
【００６２】
このようにプリント補正データスイッチ１３が標準かＬからＤかによってステップＳ４１３６またはステップＳ４１３７またはステップＳ４１３８でそれらの濃度調整値に応じた行列式係数と補正項とを画像処理部にセットしてステップＳ４１３９でプリントデータを生成してこのフローの処理を終了する。
【００６３】
ここでプリントデータ補正スイッチ１３が標準にあるか、Ｌにあるか、Ｄにあるかでどのような色変換処理が行なわれるかを、図７を参照して説明する。
【００６４】
図７は、画像処理部１８２で行なわれる色変換処理を説明する図である。
【００６５】
図７の一番左側に示されているものが工場出荷時にＦＬＡＳＨＭＥＭＯＲＹ１８５に記憶され、ＣＰＵ１８０により読み出されて画像処理部１８２にセットされる行列式係数と補正項である。このＦＬＡＳＨＭＥＭＯＲＹ１８５が本発明にいう記憶部にあたる。
【００６６】
プリントデータ補正スイッチ１３が標準にあるときには、図７の上段にある標準値に対応する行列式係数と補正項とがＣＰＵ１８０によりＦＬＡＳＨＭＥＭＯＲＹ１８５から読み出されて画像処理部１８２に色変換情報としてセットされ、またＬ側のときには、図７の中段に示す行列式係数と補正項とが画像処理部１８２に色変換情報としてセットされ、さらにＤ側のときには図７の下段にに示す行列式係数と補正項とが画像処理部１８２に色変換情報としてセットされる。
【００６７】
これらの色変換情報のうち、いずれかの色変換情報を表わす行列式係数と補正項とが画像処理部１８２にセットされて画像処理部１８２でマトリクス演算が行なわれて、ＹＣＣ信号からＲＧＢ信号への変換が行なわれる。下方には説明図としてプリンタ前データにあたるＹＣＣの信号からプリントデータにあたるＲＧＢ信号が行列により算出されるときの関係が示されている。なお補正項の部分には濃度調整値に応じてプリント前データにあたるＹＣＣ信号の輝度信号Ｙ、クロマ信号Ｃｂ、Ｃｒそれぞれがどの程度オフセットされるかを示すオフセット値のみが補正項としてセットされる。
【００６８】
このように濃度を調整する操作子であるプリント補正データＳＷ１３の切替に応じて、ＹＣＣ信号の輝度信号Ｙ、クロマ信号Ｃｂ、Ｃｒがオフセットされ、さらに行列式係数により画像データに色変換が施されることにより、操作子の操作に応じた色変換が行なわれ、ユーザ好みの色合いを持つ画像がプリント出力される。
【００６９】
ここで、行列式係数と補正項の意味合いを図７に示されている合成行列と補正係数行列と色変換行列とを用いて説明する。それぞれの行列式係数はＣＰＵ１８０内部での表現形式で示されている。この表現形式は一例であって、ＣＰＵ内のアーキテクチャーが異なればこの表現形式は変わる。
【００７０】
図７に示す合成行列が一番左側に示す行列式係数に相当し、右側にはその合成行列の内容が補正係数行列と色変換行列とで示されている。一番右側には、標準的な色変換行列が示されており、この標準的な色変換行列により色変換が行なわれると、標準的な色合いを持つ画像がプリントされる。補正係数行列は、この標準の色変換行列に対し、異なる色合いを持つ色変換を行なうときの補正係数を示すものである。
【００７１】
標準のときには補正係数行列が単位行列になって標準的な色変換行列がそのまま使用され、さらに補正項も０のままで、行列式係数が決定される。
【００７２】
これに対し、Ｌ側に操作された場合には、補正係数行列の対角要素に重みが付けられ、他の係数が負になっている。さらに補正項のうち、輝度信号（Ｙ）のオフセット値４８がセットされる。いままでは、この補正項をオフセットして全体の明るさを調整して濃度調整が行なわれていたが、そうすると、画像が白っぽくなってしまって、画像品質が劣化するという問題があった。そこで、補正項に加えて、対角要素に重みを付けて他を負にした補正係数行列を用いて彩度を上げる処理を行なうことで白っぽい画像になることを防止している。
【００７３】
このような意味合いを持つ行列式係数が画像処理部にセットされると、適正な色合いを持つ画像を表わすプリントデータが生成される。この補正行列の係数をいろいろと変化させ、さらに補正項をいろいろと変化させると、ユーザ好みの色合いを持つ画像がいろいろと得られる。
【００７４】
また、Ｄ側に操作された場合にも補正項をオフセットして全体の明るさを調整して濃度調整が行なわれていたが、そうすると画像が黒っぽくなってしまって画像品質が劣化するという問題があったため、この実施形態では、補正項に−４８をセットすることに加えて、対角要素を小さくする重みを付け、他を正にした補正係数行列をセットすることで彩度を下げる処理を行って画像が黒っぽくなることを防止している。
【００７５】
なお、この実施形態のプリンタでは、プリントデータ補正ＳＷ１３の操作に応じて、標準あるいはＬあるいはＤに対応した行列式係数がセットされて所定の色合いを持つ画像が３段階の濃度でプリント出力されるようになっているが、これを連続的に変化させることもできる。
【００７６】
図８は、補正係数行列の係数を変えて行列式係数を決定した場合の例を示す図である。
【００７７】
図７の補正係数行列に対し、図８では主に補正係数行列の対角要素を作用させてコントラストを上げ下げする処理を行っている。このようにしても図７と同様の効果が得られる。
【００７８】
以上説明したように、工場出荷時に濃度調整値に応じた行列式係数と補正項とをＦＬＡＳＨＭＥＭＯＲＹ１８５に記憶しておき、それらの行列式係数と補正項とを色変換情報としてプリント補正ＳＷの操作状態に応じて画像処理部１８２にセットすることで、プリントデータ補正ＳＷの操作に応じてユーザ好みの色合いを持つ画像がこのプリンタからプリント出力される。
【００７９】
また、このようにプリンタ内部で行列式係数と補正項とを画像処理部１８２にセットすることで、濃度調整値に応じた色変換を画像処理部１８２に行なわせることができることを考えれば、操作子を操作せずに携帯電話機側から赤外線通信を用いて画像処理部１８２に行列式係数と補正項とをセットすることも考えられる。
【００８０】
まず、携帯電話機の構成を説明し、その携帯電話機から画像データと色変換情報と補正項とがプリンタに送信されてきたときに、その送信されてきた色変換情報と補正項とが画像処理部１８２にセットされる場合を説明する。
【００８１】
まず、携帯電話機の構成および動作を簡単に説明しておく。
【００８２】
図９と図１０は、このプリンタに色変換情報と画像データとの双方を送信する携帯電話機の、それぞれ表面および裏面を示す斜視図であり、図１１はその携帯電話機の内部構成を示す図である。
【００８３】
この携帯電話２００は、上部２１０と下部２２０とからなり、折り畳み式となっている。この携帯電話２００の上部２１０には、表示画面２１１、送話口２１２、アンテナ２１３および裏面に配備されたカメラ用撮影レンズ２１４が備えられており、下部２２０には操作キー２２１や受話口２２２が備えられている。
【００８４】
図１１には、図９、図１０に外観を示す携帯電話の内部構成が示されている。
【００８５】
この携帯電話２００は、ＣＰＵ２３０でその全体が制御されるように構成されている。このＣＰＵ２３０には揮発性のメモリであるＲＡＭ２３１、不揮発性のメモリであるＲＯＭ２３２、図９に示す表示画面２１１を備えた表示部２３３、図８にも示す操作キー２２１、書換可能な不揮発性のメモリである書換可能ＲＯＭ２３４および電源部２３５が配備されている。
【００８６】
ＲＯＭ２３２には、ＣＰＵ２３０で実行されるプログラム等が記憶されており、また、書換可能ＲＯＭ２３４には、パケット通信によりダウンロードされたプログラムが記憶され、そのＲＯＭ２３２や書換可能ＲＯＭ２３４に記憶されたプログラムがＣＰＵ２３０で実行されることにより、この携帯電話２００の各部の動作が制御される。この例では、ダウンロードされたプログラムの中に携帯電話の機種（つまり製造者ごと）ごとの色変換情報が含まれている。
【００８７】
ＲＡＭ２３１は、ＣＰＵ２３０で実行されるプログラムの作業領域として利用されないが、この携帯電話２００で取り扱われる画像データの画素数の設定値や画像データ等の格納領域として利用される。
【００８８】
表示部２３３は、図８に示す表示画面２１１を有し、ＣＰＵ２３０の指示に応じてこの表示画面２１１に画像を表示する。
【００８９】
また操作キー２２１は、ユーザによる操作を受け、その操作をＣＰＵ２３０に伝える役割りを担っている。操作キー２２１が操作されると、ＣＰＵ２３０は、その操作に応じて各部を制御する。
【００９０】
電源部２３５には、電池（図示せず）が装填されその電池からの電力を、ＣＰＵ２３０や、そのＣＰＵ２３０からの指令を受けてこの携帯電話の各部に供給する。
【００９１】
また、この携帯電話２００には、電話機能を担う構成要素として、図２０、図２１にも示すアンテナ２１３、送受信部２４１、信号処理部２４２、および通話部２４５が備えられている。この通話部２４３には、図９の受話口２２２の内部に配備されたマイクロホン２４３ａと送話口２１２の内部に配備されたスピーカ２４３ｂが含まれている。
【００９２】
送受信部２４１は、アンテナ２１３での電波の送受信を担う回路要素であり、アンテナ２１３での電波受信により送受信部２４１で得られた信号は信号処理部に入力されて信号処理を受けて通話部２４３のスピーカ２４３ｂから音声として出力される。また、通話部２４３のマイクロホン２４３ａでピックアップされた音声は信号処理部２４２で信号処理を受け、送信部２４１を介してアンテナ２１３から電波として送信される。
【００９３】
また、この携帯電話２００はパケット通信機能も備えており、アンテナ２１３および送受信部２４１を介して受信またはパケット信号は、信号処理部２４２で適切な信号処理を受けた後一旦ＲＡＭ２３１に格納され、あるいはダウンロードされたプログラムの場合は書換可能ＲＯＭ２３４に記憶され、操作キー２２１からの指示を受けたＣＰＵ２３０により、そのＲＡＭ２３１内のパケットデータが表示部２３３の表示画面２１１（図９参照）に表示され、あるいは書換可能ＲＯＭに記憶されたプログラムが実行される。
【００９４】
また操作キー２２１で作成されたパケット通信文書等はその作成時点ではＲＡＭ２３１に一旦格納され、操作キー２２１からの送信指示に応じて信号処理部２４１に送られて送信用に信号処理を受け、送受信部２４１およびアンテナ２１３を介して電波として送信される。
【００９５】
さらに、この携帯電話２００には、撮影部２５１、画像処理部２５２、および赤外線通信部２５３が備えられている。
【００９６】
撮影部２５１には、図１０に示す撮影レンズ２１４および撮影素子２５１ａが備えられており、撮影レンズを経由して取り込まれた被写体が撮影素子２５１ａで提示されて画像信号が生成される。この撮影素子２５１ａで得られた画像信号は画像処理部２５２で処理されてデジタルの画像データに変換され、ＣＰＵ２３０を介して一旦ＲＡＭに格納され操作キー２２１の操作に応じて表示部２３１の表示画面２１１に表示され、あるいは、赤外線通信部２５３を介して外部（後述するプリンタ）に向けて送信される。この赤外線通信により外部に向けて送信されるときに、ダウンロードしたプログラム内にある機種ごとの色変換情報が画像データのヘッダ情報として付加されて送信される。
【００９７】
図１２はカメラ付き携帯電話機２００からこのプリンタ１に画像データが送信されてくるときの状態を示す図である。
【００９８】
図１１に戻ってこの赤外線通信部２５３は、赤外線信号受信機能も備えており、送信した色変換情報を含む画像データがプリンタで受信された場合にプリンタから通信されてくる、画像データを受信したことを表わすアクノリッジ信号を受信する。
【００９９】
これにより、この携帯電話２００では、プリンタ１に向けて色変換情報を含む画像データを送信してから所定時間以内にアクノリッジ信号を受信できたか否かにより、送信したこれらデータがプリンタで正しく受信されたか否かが認識することができる。
【０１００】
携帯電話機側の色変換情報は、図９、図１０に外観を示すカメラ付き携帯電話機を製造しているメーカにより赤、青、緑それぞれの色情報が若干異なるものを修正するためにこのカメラ付き携帯電話機２００からプリンタ１に向けて画像データとともに送信するもので、携帯電話から画像データを送信するときには、前述したようにダウンロードされてＲＡＭに格納されたプログラム中に記述されている各メーカの色変換情報も送信される。この例では、その色変換情報をｉアプリ（登録商標）と称されるアプリケーションの中のｖＮｏｔｅ変換という規約を用いて画像データとともに色変換情報を表わす行列式係数と補正項とをプリンタへ送信するようにしている。
【０１０１】
図１３は、そのカメラ付き携帯電話２００から画像データが送信されてきたときにプリンタ１でその画像データに基づく画像がプリント出力されるまでの画像データの流れを説明する図である。
【０１０２】
図１３には、カメラ付き携帯電話機２００内のＣＰＵ２３０が行なう処理とプリンタ１側のＣＰＵ１８０と画像処理部１８２とが行なう処理とがそれぞれ示されている。図１３の左側が携帯電話機２００側のＣＰＵ２３０の処理であり、図１３の右側はプリンタ１のＣＰＵ１８０および画像処理部１８２の処理である。
【０１０３】
まず、携帯電話機２００のＣＰＵ２３０が行なう処理を説明する。
【０１０４】
ステップＳ１３１１で画像データの処理を携帯電話機１の画像処理部２５２に行なわせている。
【０１０５】
次のステップＳ１３１２で画像処理部２５２にＹＣデータへの変換を行なわせた後ステップＳ１３１３でＪＰＥＧ圧縮を行なわせてステップＳ１３１４でＪＰＥＧ圧縮された画像データ（以降ＪＰＥＧデータという）を得ている。さらにステップＳ１３１５でダウンロードしたプログラムの中にある行列式係数と補正項と圧縮情報などをステップＳ１３１６でｉアプリの中のｖＮｏｔｅという規約にしたがってｖＮｏｔｅ変換して順次赤外線通信部２５３に送信させている。このｖＮｏｔｅ規約にしたがってｖＮｏｔｅ変換を行なうと、まず圧縮のタイプ（例えばＪＰＥＧで圧縮された）が送信され、その後画像ファイルサイズ、その後画像ファイル名などが順次プリンタに送信され、さらに、色変換情報を示す行列式係数が１６３８４、２２９７０、５３８３６…という数字の列で順次プリンタに向けて赤外線通信により送信される。これのｖＮｏｔｅ変換されたｖＮｏｔｅデータは画像データのヘッダ情報として送信され、そのヘッダ情報が送信された後画像データが送信される。
【０１０６】
図１４はそのｖＮｏｔｅ変換という規約にしてがってプリンタへ色変換情報をヘッダとして送信する場合のヘッダ情報を説明する図である。
【０１０７】
図１４に示すように、ｖＮｏｔｅ変換が行われて、ＴＹＰＥ（ＪＰＥＧ）、画像ＳＩＺＥ（１２０×１２０）、ＦＩＬＥＳＩＺＥ（３０００ＢＹＴＥ）、ＦＩＬＥＮＡＭＥ（ｐｉｃｔｕｒｅ＿００１．ｊｐｇ）の後に行列式係数と補正項とが挿入され順次送信されている。この行列式係数の前にＴＹＰＥなどと同様に表記されているラベルＸ−ＦＦ−ＹＣＣ２ＲＧＢ＿＊＊＊の中のＹＣＣ２ＲＧＢ（ＹＣＣ  ＴＯ  ＲＧＢの意味）がＹＣＣからＲＧＢに変換する行列式係数および補正項であるということを示している。
【０１０８】
図１３に戻ってプリンタのＣＰＵ１８０と画像信号処理部１８２が行なう処理を説明する。
【０１０９】
プリンタ１では受光素子１５を介して画像処理部１８２にある外部Ｉ／Ｆ１８２１が赤外線通信により先に送信されてきた通信要求を示すデータを受信して、その通信要求を示すデータを受信したことをプリンタ１内部のＣＰＵ１８０に知らせる。ＣＰＵ１８０は画像処理部１８２に画像データが送信されてくることを告げ、画像処理部１８２の外部ＩＦ１８２１を介して画像データを受信させる準備を整える。ここで画像データが送信されてきたら外部Ｉ／Ｆ１８２１を介して画像処理部１８２で画像データを受信する。まず、ｖＮｏｔｅと呼ばれる規約にしたがってヘッダ情報としてｖＮｏｔｅデータである圧縮情報、画像ファイルサイズ、画像ファイル名、行列式係数、補正項など（図１４参照）が順次送られてくるので、そのｖＮｏｔｅデータを受信してそれぞれの情報を分離してＲＡＭ１８４などに記憶する。このことをフロー中ではｖＮｏｔｅ逆変換と記述してある。その分離した情報の中の圧縮情報が例えばＪＰＥＧとなっていたら、ステップＳ１３１９、Ｓ１３２０でＪＰＥＧデータの伸張を行なう。また、ステップＳ１３１８でｖＮｏｔｅ逆変換を行った後、ステップＳ１５００で、その分離した情報の中の行列式係数と補正項とを抽出して画像処理部１８２に行列式係数と補正項とをセットする。なお、この実施形態のプリンタでは、行列式係数と補正項とを受信したときに、ＣＰＵ１８０内のマルチプレクサＢを作動させ、プリントデータ補正ＳＷ１３の操作による濃度調整値に対応する行列式係数と補正項を画像処理部１８２にセットせずに、送信されてきた行列式係数と補正項を画像処理部１８２にセットするようにしてある。
【０１１０】
ステップＳ１３２０でこのＪＰＥＧデータを伸張してその伸張した画像データに基づいて次のステップＳ１３２１でＹＣＣ信号を得て、ステップＳ１３２２で画像処理部１８２にセットされた行列式係数と補正係数とに基づくマトリクス演算を行ってステップＳ１３２３でプリンタデータとなるＲＧＢ信号を得ている。
【０１１１】
このように、携帯電話機側から色変換情報が送信されてきたら、その色変換情報を示す行列式係数と補正項とを画像処理部１８２にセットして、マトリクス演算を行って、ＲＧＢからなるプリントデータを得ている。
【０１１２】
このようにすると、携帯電話の機種ごとの色変換情報がプリンタ１にセットされて、どこのメーカのカメラ付き携帯電話から画像データが送信されてきても好適な色変換が行なわれ、鮮明な画像がインスタントフィルムシート上に形成されプリント出力される。
【０１１３】
ここでは、画像データとともに色変換情報が送信されてきたときにマルチプレクサＢを作動させ、送信されてきた色変換情報のみでプリント画像の色変換を行っているが、プリントデータ補正ＳＷの操作と携帯電話機から送信されてきた色変換情報との双方を用いて色変換処理を施すようにしても良い。
【０１１４】
図１５は、その場合の処理の一例を説明する図である。
【０１１５】
図１５のマルチプレクサＢが乗算器Ｃに置き変わっている。
【０１１６】
このようにＣＰＵ１８０内部のマルチプレクサＢを乗算機Ｃに置き換えると、プリント補正データＳＷ１３の濃度調整値に対応する行列式係数と送信されてきた行列式係数とが乗算され色変換が行なわれる。
【０１１７】
図１６は、プリント補正データＳＷと送信されてきた色変換情報との双方を用いて色変換を行なう場合を説明する図である。
【０１１８】
携帯電話機から送られてきた色変換行列が一番右側に示されており、この色変換行列がＣＰＵ内部の表現形式に置き換えられている。この例ではＬｉｇｈｔｅｎに対応する補正係数行列と、携帯電話機から送られてきた行列式係数とが乗算器Ｃにより乗算され、その乗算された行列式係数と補正項とが色変換情報として画像処理部にセットされ、色変換が行なわれている。
【０１１９】
このようにしておくと、携帯電話機側から送られてくる画像データに基づく画像の色合いが今ひとつ不鮮明で撮影者の好みに合わなかった場合には、プリントデータ補正ＳＷを予めＬｉｇｈｅｔｎ側に操作しておくことで撮影者の好みにあった鮮明な画像がプリント出力される。
【０１２０】
最後に、このプリンタに配備されている他の色変換を行なう行列式係数を示して、このプリンタで行える他の機能を説明しておく。
【０１２１】
図１７は、このプリンタで行なうことが可能な他の色変換を説明する図である。
【０１２２】
図１７には、標準に加えて、コントラストをアップさせる場合、反転（ネガ）画像にする場合、白黒化を行なう場合、セピアカラーにする場合、それぞれの場合の行列式係数と補正項とがそれぞれ示されている。右側にはそれらの行列式係数の意味合いを示すために合成行列と補正係数行列と色変換行列とがそれぞれ示されている。
【０１２３】
図１７の上から２段目に示すように、コントラストアップを行なう場合には、補正係数行列の対角要素に重みが加えられている。このように対角要素のみ重みを大きくすると、標準に比べて振幅成分の差が大きくなり、コントラストがアップされた画像が得られる。図８の別例では主にこのコントラストアップ作用を利用して彩度を上げ下げする処理が行なわれている。また、図１７の上から３段目に示すように対角要素を負の値にすると、ネガ像が得られる。また図１７の上から４段目に示すように第１列のみの色変換行列を用いると、白黒画像が得られる。その白黒画像をさらにセピアカラーにしたい場合には、図１６の上から５段目（一番下の段）に示すように、ＲＧＢ信号のうち、Ｇ信号とＢ信号とをオフセットさせる補正項（ＤＲ、ＤＧ、ＤＢ）を用いるとセピアカラーが得られる。このときのＲ信号、Ｇ信号、Ｂ信号の補正項（ＤＲ，ＤＧ、ＤＢ）も前述したＹＣ信号のオフセット値である補正項（ＤＹ、ＤＣＢ、ＤＢ）と同様に画像処理部にセットされる。
【０１２４】
図１７の下方には、セピアカラーを得る場合に用いられるＲＧＢ信号のオフセット値である補正項がどのようなものであるかが示されている。
【０１２５】
このように行列式係数や補正項をうまく設定することで、画像の加工をいろいろと行なえるため、このプリンタにコントラストアップ、白黒、ネガ、セピアなどに対応するスイッチを設けてもこのプリンタの機能が拡張されるが、携帯電話機からそれらの行列式係数を送信するようにすると、プリンタを大型化させることなく、携帯電話機側の操作によりプリンタにユーザの好みの色合いを持つ画像をプリント出力させることができる。
【０１２６】
このように携帯電話機側で操作を行なうことにより、いろいろな色変換をこのプリンタに行なわせると、プリンタにスイッチを設けることがなくなり、プリンタの小型軽量化が図られ、モバイルプリンタとして好適なプリンタが実現される。
【０１２７】
なお本実施形態では記録媒体としてインスタントフィルムシートを例にとり、そのインスタントフィルムシートに画像の記録を行なうプリンタを挙げたが、普通紙を記録媒体としてその普通紙に記録を行なうプリンタであっても良い。
【０１２８】
また、携帯電話機でなくても、赤外線通信によりこのプリンタに画像データを送信するものであれば何でも良い。
【０１２９】
また本実施形態ではダウンロードしたプログラムの中にメーカごとの色変換情報が記述されているとしたが、各メーカにこのプリンタで画像を色変換するときの色変換情報を予め通知しておき、ＲＯＭなどに各メーカの色変換情報をそれぞれ記録しておいてもらえば、そのＲＯＭに記録された色変換情報に基づいてプリンタに携帯電話機にあった色変換処理を行なわせることもできる。
【図面の簡単な説明】
【０１３０】
【図１】本発明の実施形態であるプリンタを斜め上方から見た斜視図である。
【図２】プリンタ内部に装填されたインスタントフィルムシートがプリンタ外部に排出されるときの状態を示す図である。
【図３】プリンタ内部の信号処理系統の構成ブロック図である。
【図４】図３のＣＰＵが行なう処理手順を示すフローチャートである。
【図５】図４のステップの待ち受け処理の手順を示すフローチャートである。
【図６】図４のステップＳ４１２のプリント前処理プロセスの処理手順を示すフローチャートである。
【図７】図６のステップＳ６０６、ステップＳ６０７、ステップＳ６０８の各色変換処理を説明する図である。
【図８】図７の色変換処理の別例を示す図である。
【図９】カメラ付き携帯電話機の外観を示す図である。
【図１０】カメラ付き携帯電話機の外観を示す図である。
【図１１】図９、図１０のカメラ付き携帯電話機の内部構成を示す図である。
【図１２】携帯電話機から画像データが送信されてプリンタで受信するときの状況を説明する図である。
【図１３】携帯電話機から画像データと色変換情報とが送信されてきたときの画像データと色変換情報の流れを説明する図である。
【図１４】そのｖＮｏｔｅ変換という規約にしてがってプリンタへ色変換情報を送信する場合の色変換情報の送信例を説明する図である。
【図１５】図１３マルチプレクサＢを乗算器Ｃに置き換えた例を示す図である。
【図１６】図１４の場合の色変換処理を説明する図である。
【図１７】このプリンタで行える他の色変換処理を説明する図である。
【符号の説明】
【０１３１】
１  プリンタ
１ａ  筐体
１ｂ  電池
１０    各種スイッチ
１１    電源ＳＷ
１２    プリントＳＷ
１３    プリントデータ補正ＳＷ
１４    ＬＣＤパネル
１５    受光部
１６    光学ヘッド
１７    展開モータ
１７ａ    展開モータドライバ
１７ｂ    展開ローラ
１８０    ＣＰＵ
１８０Ａ    温度センサ
１８０Ｂ    原点センサ
１８０Ｃ    終端センサ
１８１    電源部
１８２    画像処理部
１８２１    外部Ｉ／Ｆ
１８３    印刷処理部
１８４    ＲＡＭ
１８５    ＦＬＡＳＨＭＥＭＯＲＹ
【図１】
2005142844.tif 000003
【図２】
2005142844.tif 000004
【図３】
2005142844.tif 000005
【図４】
2005142844.tif 000006
【図５】
2005142844.tif 000007
【図６】
2005142844.tif 000008
【図７】
2005142844.tif 000009
【図８】
2005142844.tif 000010
【図９】
2005142844.tif 000011
【図１０】
2005142844.tif 000012
【図１１】
2005142844.tif 000013
【図１２】
2005142844.tif 000014
【図１３】
2005142844.tif 000015
【図１４】
2005142844.tif 000016
【図１５】
2005142844.tif 000017
【図１６】
2005142844.tif 000018
【図１７】
2005142844.tif 000019